(57)【要約】【課題】集積回路自体の構成を変更することなく、回路動作を容易に変更することができる集積回路を提供する。【解決手段】本発明の集積回路は、外部センサ２００からの信号を処理する集積回路であって、互いに異なる入力端子部１０１，１０３に入力された信号を処理して互いに異なる出力端子部１０２，１０４に出力する複数の処理回路１１０，１２０を有し、前記集積回路に選択的に接続される外部センサ２００の種類に応じて前記入力端子部と前記出力端子部との間の外部接続状況を変更することによって、前記複数の処理回路のうちで、前記外部センサからの信号を初めに受信する初段の処理回路と次段以降の処理回路との順番を切り替える。【選択図】図１
2011216511.tif 000002
【特許請求の範囲】
【請求項１】
外部センサからの信号を処理する集積回路であって、
互いに異なる入力端子部に入力された信号を処理して互いに異なる出力端子部に出力する複数の処理回路を有し、
前記集積回路に選択的に接続される外部センサの種類に応じて前記入力端子部と前記出力端子部との間の外部接続状況を変更することによって、前記複数の処理回路のうちで、前記外部センサからの信号を初めに受信する初段の処理回路と次段以降の処理回路との順番を切り替え可能としたことを特徴とする集積回路。
【請求項２】
前記複数の処理回路は、
第１入力端子部に入力された信号を処理して第１出力端子部に出力する第１処理回路と、
第２入力端子部に入力された信号を処理して第２出力端子部に出力する第２処理回路と、
を有し、
前記外部センサとしての第１外部センサと前記第１入力端子部とが接続された場合、前記第１処理回路、前記第２処理回路の順番で前記第１外部センサからの信号を処理する一方で、前記外部センサとしての第２外部センサと前記第２入力端子部とが接続された場合、前記第２処理回路、前記第１処理回路の順番で前記第２外部センサからの信号を処理することを特徴とする請求項１に記載の集積回路。
【請求項３】
前記外部センサとしての第１外部センサと前記第１入力端子部とが接続され、前記第１出力端子部と前記第２入力端子部とが第１外部回路を介して接続された場合、前記第１処理回路、前記第２処理回路の順番で前記第１外部センサからの信号を処理する一方で、前記外部センサとしての第２外部センサと前記第２入力端子部とが接続され、前記第２出力端子部と前記第１入力端子部とが第２外部回路を介して接続された場合、前記第２処理回路、前記第１処理回路の順番で前記第２外部センサからの信号を処理することを特徴とする請求項２に記載の集積回路。
【請求項４】
前記第１処理回路は、差動増幅器を備えており調整可能な差動利得を有し、前記第２処理回路は、増幅器を備えており固定の利得を有することを特徴とする請求項２または３に記載の集積回路。
【請求項５】
定電流源をさらに有し、当該定電流源が前記外部センサに定電流を供給することを特徴とする請求項１〜４のいずれか１項に記載の集積回路。
【請求項６】
前記第１出力端子部および前記第２出力端子部に接続されるマルチプレクサと、
前記マルチプレクサの出力信号を処理する信号処理部と、
をさらに有することを特徴とする請求項２〜５のいずれか１項に記載の集積回路。
【請求項７】
請求項３〜６のいずれか１項に記載の集積回路と、
前記外部センサとしての圧力センサと、
前記第１外部回路としてのバンドパスフィルタと、
を有し、
前記第１入力端子部は、２つの入力端子を有しており、前記圧力センサの出力端子部に接続され、
前記第１出力端子部は、前記バンドパスフィルタの入力端子部に接続され、
前記第２入力端子部は、前記バンドパスフィルタの出力端子部に接続されることを特徴とする測定装置。
【請求項８】
請求項３〜６のいずれか１項に記載の集積回路と、
前記外部センサとしての光センサと、
前記第２外部回路としてのローパスフィルタと、
を有し、
前記第１入力端子部は、２つの入力端子を有しており、前記ローパスフィルタの入力および出力端子部にそれぞれ接続され、
前記第２入力端子部は、前記光センサの出力端子部に接続され、
前記第２出力端子部は、前記ローパスフィルタの入力端子部に接続されることを特徴とする測定装置。
【発明の詳細な説明】
【技術分野】
【０００１】
本発明は、集積回路および測定装置に関する。
【背景技術】
【０００２】
近年、マイクロプロセッサ、メモリ、アナログ回路などの複数の処理回路が１つのチップ上に集約された集積回路を搭載した測定装置の開発が盛んである。一般に測定装置には測定用途に応じて種々のセンサが選択的に搭載され、センサの種類に応じて異なる回路構成が適用される。一方、センサの種類が変更されるたびに回路構成を変更することは、集積回路の開発期間および開発費用の面で大きな負担となる。
【０００３】
開発期間および開発費用を削減するため、集積回路の製造工程において集積回路基板上の配線パターンを変更することにより、集積回路の回路構成を部分的に変更する方法が、例えば下記の特許文献１に開示されている。特許文献１に示す集積回路の製造方法では、１つの回路動作を実現するために必要な回路構成要素以外の回路構成要素を予め集積回路基板上に形成しておき、配線パターンを変更することにより、それらのうちの必要な回路構成要素を接続して異なる種類の所望の回路動作を実現している。
【先行技術文献】
【特許文献】
【０００４】
【特許文献１】特開平５−３４３６２０号公報
【発明の概要】
【発明が解決しようとする課題】
【０００５】
しかしながら、上記製造方法では、集積回路の製造工程における配線パターンの変更作業が必要であるため、集積回路の開発期間および開発費用を十分に削減することができないという問題がある。
【０００６】
本発明は、上述した問題を解決するためになされたものである。したがって、本発明の目的は、集積回路自体の構成を変更することなく、回路動作を容易に変更することができる集積回路を提供することである。
【０００７】
また、本発明の他の目的は、上記集積回路を搭載した測定装置を提供することである。
【課題を解決するための手段】
【０００８】
本発明の上記目的は、下記の手段によって達成される。
【０００９】
本発明の集積回路は、外部センサからの信号を処理する集積回路であって、互いに異なる入力端子部に入力された信号を処理して互いに異なる出力端子部に出力する複数の処理回路を有し、前記集積回路に選択的に接続される外部センサの種類に応じて前記入力端子部と前記出力端子部との間の外部接続状況を変更することによって、前記複数の処理回路のうちで、前記外部センサからの信号を初めに受信する初段の処理回路と次段以降の処理回路との順番を切り替える。
【発明の効果】
【００１０】
本発明の集積回路によれば、集積回路自体の構成を変更することなく、回路動作を容易に変更することができる。したがって、外部センサの種類に関わらず同一の集積回路を適用することができるので、集積回路の開発期間および開発費用を大幅に削減することができる。
【図面の簡単な説明】
【００１１】
【図１】本発明の一実施の形態における集積回路を説明するためのブロック図である。
【図２】本発明の一実施の形態における集積回路を説明するためのブロック図である。
【図３】図１に示す集積回路を搭載した電子血圧計の血圧測定部の主要部を説明するためのブロック図である。
【図４】図１に示す集積回路を搭載した血糖計の血糖測定部の主要部を説明するためのブロック図である。
【発明を実施するための形態】
【００１２】
以下、添付した図面を参照して本発明の集積回路の実施の形態を説明する。なお、図中、同一の部材には同一の符号を用いた。
【００１３】
（実施の形態）
図１は、本発明の一実施の形態における集積回路を説明するためのブロック図である。本実施の形態の集積回路は、入力端子部と出力端子部との間の外部接続状況を変更することによって、当該集積回路内の複数の処理回路が外部センサからの信号を処理する順番を切り替え可能としたものである。本実施の形態では、外部センサからの信号を処理する集積回路としてシステムＬＳＩを例示して説明する。
【００１４】
図１に示すとおり、本実施の形態のシステムＬＳＩ１００は、第１および第２処理回路１１０，１２０と、マルチプレクサ（ＭＵＸ）１３０と、信号処理部１４０と、定電流源１５０と、を有する。
【００１５】
また、システムＬＳＩ１００は、入力および出力端子部として、第１入力端子部１０１、第１出力端子部１０２、第２入力端子部１０３、および第２出力端子部１０４を有する。第１処理回路１１０は、第１入力端子部１０１を介して外部配線で第１外部センサ２００に接続されており、第１出力端子部１０２は、外部配線で第２入力端子部１０３に接続されている。したがって、第１処理回路１１０と第２処理回路１２０とは、この順に外部配線を介してカスケード接続されている。
【００１６】
第１処理回路１１０は、第１外部センサ２００からの信号を初めに受信する初段の処理回路である。より具体的には、第１処理回路１１０は、第１入力端子部１０１に入力された第１外部センサ２００からの信号を処理して第１出力端子部１０２とマルチプレクサ１３０とに出力する。第１処理回路１１０は、例えば、所定の利得を有する増幅器である。
【００１７】
第２処理回路１２０は、第１処理回路１１０からの信号を処理する次段の処理回路である。より具体的には、第２処理回路１２０は、第２入力端子部１０３に入力された第１処理回路１１０からの信号を処理して第２出力端子部１０４とマルチプレクサ１３０とに出力する。第２処理回路１２０は、例えば、所定の利得を有する増幅器であり、第１処理回路１１０と同じ構成を有しうる。
【００１８】
マルチプレクサ１３０は、第１および第２処理回路１１０，１２０の出力信号のうちのいずれか一方の信号を選択するものである。本実施の形態では、システムＬＳＩ１００は、第１および第２処理回路１１０，１２０の２つの処理回路を有するので、マルチプレクサ１３０は、２つの入力と１つの出力とを有する。
【００１９】
信号処理部１４０は、マルチプレクサ１３０の出力信号を信号処理するものである。より具体的には、信号処理部１４０は、例えば、Ａ／Ｄコンバータ、演算処理部（マイクロプロセッサ）、および記憶部（メモリ）を有しており、入力されたマルチプレクサ１３０の出力信号をＡ／Ｄコンバータでアナログ信号からディジタル信号に変換したのち、変換されたディジタル信号を演算処理部で演算して演算結果を記憶部に格納する。
【００２０】
定電流源１５０は、第１外部センサ２００に定電流を供給する電流源である。より具体的には、定電流源１５０は、外部配線を介して接続された第１外部センサ２００に定電流を供給する。
【００２１】
以上のとおり、図１に示すシステムＬＳＩ１００によれば、第１入力端子部１０１に入力された第１外部センサ２００からの信号は、第１処理回路１１０で処理されたのちに第２処理回路１２０で処理される。すなわち、第１外部センサ２００からの信号は、第１処理回路、第２処理回路の順番で処理される。
【００２２】
次に、図２を参照して、システムＬＳＩ１００の入力端子部と出力端子部との間の外部接続状況を変更することによって、外部センサからの信号を初めに受信する初段の処理回路と次段の処理回路との順番が切り替わることを説明する。
【００２３】
システムＬＳＩ１００は、第１および第２処理回路１１０，１２０と、マルチプレクサ（ＭＵＸ）１３０と、信号処理部１４０と、定電流源１５０と、を有し、図１に示すシステムＬＳＩ１００と同一である。一方、入力端子部と出力端子部との間の外部接続状況を変更して、第２処理回路１２０は、第２入力端子部１０３を介して外部配線で第２外部センサ２００に接続されており、第２出力端子部１０４は、外部配線で第１入力端子部１０１に接続されている。したがって、第２処理回路１２０と第１処理回路１１０とは、この順に外部配線を介してカスケード接続されている。
【００２４】
第１処理回路１１０は、第２処理回路１２０からの信号を処理する次段の処理回路である。より具体的には、第１処理回路１１０は、第１入力端子部１０１に入力された第２処理回路１２０からの信号を処理して第１出力端子部１０２とマルチプレクサ（ＭＵＸ）１３０とに出力する。
【００２５】
第２処理回路１２０は、第２外部センサ２００からの信号を初めに受信する初段の処理回路である。より具体的には、第２処理回路１２０は、第２入力端子部１０３に入力された第２外部センサ２００からの信号を処理して、第２出力端子部１０４とマルチプレクサ１３０とに出力する。
【００２６】
マルチプレクサ１３０は、第１および第２処理回路１１０，１２０の出力信号のうちのいずれか一方の信号を選択するものであり、信号処理部１４０は、マルチプレクサ１３０の出力信号を信号処理するものである。マルチプレクサ１３０および信号処理部１４０の構成は、図１に示すマルチプレクサ１３０および信号処理部１４０の構成と同様であるので、説明を省略する。
【００２７】
定電流源１５０は、第２外部センサ２００に定電流を供給する電流源である。より具体的には、定電流源１５０は、外部配線を介して接続された第２外部センサ２００に定電流を供給する。
【００２８】
以上のとおり、図２に示すシステムＬＳＩ１００によれば、第２入力端子部１０３に入力された第２外部センサ２００からの信号は、第２処理回路１２０で処理されたのちに第１処理回路１１０で処理される。すなわち、第２外部センサ２００からの信号は、第２処理回路、第１処理回路の順番で処理される。
【００２９】
なお、以上の説明では、本実施の形態のシステムＬＳＩ１００が２つの処理回路を有する場合について例示した。しかしながら、処理回路は２つの場合に限定されず、３つ以上でもよい。
【００３０】
また、以上の説明では、本実施の形態のシステムＬＳＩ１００に２種類の外部センサが選択的に接続される場合について例示した。しかしながら、外部センサは２種類の場合に限定されず、３種類以上の外部センサが選択的に接続されてもよい。
【００３１】
以上、図１および図２を参照して説明したとおり、本実施の形態のシステムＬＳＩ１００によれば、システムＬＳＩに選択的に接続される外部センサの種類に応じて入力端子部と出力端子部との間の外部接続状況を変更することによって、複数の処理回路のうちで、外部センサからの信号を初めに受信する初段の処理回路と次段以降の処理回路との順番を切り替えることができる。したがって、システムＬＳＩ自体の構成を変更することなく、回路動作を容易に変更することができる。その結果、外部センサの種類に関わらず同一のシステムＬＳＩを適用することができるので、集積回路の開発期間および開発費用を大幅に削減することができる。
【００３２】
また、本実施の形態のシステムＬＳＩは、定電流源を有し、当該定電流源が外部センサに定電流を供給する。したがって、システムＬＳＩの外部における外部センサ用の定電流源の設置を省くことができる。
【００３３】
（実施例１：電子血圧計）
次に、図３を参照して、本実施の形態のシステムＬＳＩを搭載した測定装置の一実施例として、電子血圧計について説明する。図３は、本実施の形態における電子血圧計の血圧測定部の主要部を説明するためのブロック図である。なお、本実施の形態における電子血圧計の血圧測定部以外の構成要素については、従来の電子血圧計と同様であるので、血圧測定部以外の構成要素の説明は省略する。
【００３４】
図３に示すとおり、血圧測定部４００ａは、システムＬＳＩ１００と、外部センサとしての圧力センサ２００ａと、加圧袋２１０ａと、外部回路としてのバンドパスフィルタ（ＢＰＦ）３００ａとを有する。
【００３５】
システムＬＳＩ１００は、第１増幅部（ＰＧＡ）１１０と、第２増幅部（ＡＭＰ）１２０と、マルチプレクサ（ＭＵＸ）１３０と、信号処理部１４０と、定電流源１５０と、を有する。
【００３６】
また、システムＬＳＩ１００は、入力および出力端子部として、第１入力端子部１０１，１０１’、第１出力端子部１０２、第２入力端子部１０３、および第２出力端子部１０４を有する。第１入力端子部１０１，１０１’は、圧力センサ２００ａの出力端子部に外部配線で接続されており、第１出力端子部１０２は、バンドパスフィルタ３００ａの入力端子部に外部配線で接続される。また、第２入力端子部１０３は、バンドパスフィルタ３００ａの出力端子部に外部配線で接続されている。
【００３７】
第１増幅部１１０は、圧力センサ２００ａからの信号を初めに受信する初段の処理回路である。より具体的には、第１増幅部１１０は、第１入力端子部１０１，１０１’に入力された圧力センサ２００ａからの信号を差動増幅して第１出力端子部１０２とマルチプレクサ１３０とに出力する。第１増幅部１１０は、例えば、２入力のＰＧＡ（ｐｒｏｇｒａｍｍａｂｌｅ  ｇａｉｎ  ａｍｐｌｉｆｉｅｒ）を有し、差動利得を適宜調整（プログラム）することができる。
【００３８】
第２増幅部１２０は、第１増幅部１１０からの信号を処理する次段の処理回路である。より具体的には、第２増幅部１２０は、第２入力端子部１０３に入力されたバンドパスフィルタ３００ａからの信号を増幅して第２出力端子部１０４とマルチプレクサ１３０とに出力する。第２増幅部１２０は、固定の利得を備える増幅器を有する。
【００３９】
また、第１および第２増幅部１１０，１２０は、圧力センサ２００ａからの信号の周波数帯域において必要な利得を得られる回路構成であればよく、例えば、演算増幅器（オペアンプ）を用いて構成されうる。
【００４０】
マルチプレクサ１３０は、第１および第２増幅部１１０，１２０の出力信号のうちのいずれか一方の信号を選択するものである。本実施の形態では、システムＬＳＩ１００は、第１および第２増幅部１１０，１２０の２つの処理回路を有するので、マルチプレクサ１３０は、２つの入力と１つの出力とを有する。
【００４１】
信号処理部１４０は、マルチプレクサ１３０の出力信号を信号処理するものである。より具体的には、信号処理部１４０は、例えば、Ａ／Ｄコンバータ、演算処理部、および記憶部を有しており、入力されたマルチプレクサ１３０の出力信号をＡ／Ｄコンバータでアナログ信号からディジタル信号に変換したのち、変換されたディジタル信号に基づいて演算処理部で血圧値を算出して記憶部に格納する。
【００４２】
定電流源１５０は、圧力センサ２００ａに定電流を供給する電流源である。より具体的には、定電流源１５０は、外部配線を介して接続された圧力センサ２００ａに定電流を供給する。
【００４３】
圧力センサ２００ａは、電子血圧計に備えられた加圧袋２１０ａ内の圧力を電気信号に変換するものであり、例えば、半導体圧力センサを有する。
【００４４】
バンドパスフィルタ３００ａは、圧力センサ２００ａからの信号の周波数帯域のうち、直流信号などの低域成分とノイズなどの高域成分とを減衰させて除去するものである。バンドパスフィルタ３００ａは、例えばプリント基板上に形成されており、外部配線でシステムＬＳＩ１００に接続される。
【００４５】
以下、図３を参照して、本実施の形態における電子血圧計の血圧測定部の回路動作を説明する。
【００４６】
図３に示すとおり、加圧袋２１０ａ内の圧力は、圧力センサ２００ａにより電気信号に変換され、システムＬＳＩ１００に入力される。入力された圧力センサ２００ａからの信号は、第１増幅部１１０で増幅されたのち、バンドパスフィルタ３００ａにより低域および高域成分が除去されて、第２増幅部１２０でさらに増幅される。したがって、第１および第２増幅部１１０，１２０の利得と、バンドパスフィルタ３００ａの回路定数とを適宜調整することにより、第１増幅部１１０からは、圧力センサ２００ａからの信号の直流（ＤＣ）成分に相当する信号が得られ、また、第２増幅部１２０からは、圧力センサ２００ａからの信号の交流（ＡＣ）成分に相当する信号が得られる。
【００４７】
マルチプレクサ１３０は、第１および第２増幅部１１０，１２０の出力信号のいずれか一方を選択し、信号処理部１４０に伝達する。したがって、圧力センサ２００ａからの信号の直流成分および交流成分のうちのいずれか一方が選択されて信号処理部１４０に伝達される。
【００４８】
信号処理部１４０は、上記の直流成分および交流成分に基づいて血圧値を算出して記憶部に格納する。
【００４９】
以上のとおり、本実施の形態のシステムＬＳＩ１００を搭載した電子血圧計によれば、圧力センサ２００ａからの信号が第１増幅部１１０で増幅されたのち、バンドパスフィルタ３００ａを介して第２増幅部１２０でさらに増幅されるので、圧力センサ２００ａからの信号の直流成分および交流成分を分離して信号処理部１４０に伝達することができる。
【００５０】
（実施例２：血糖計）
次に、図４を参照して、本実施の形態のシステムＬＳＩを搭載した測定装置の他の実施例として、血糖計について説明する。図４は、本実施の形態における血糖計の血糖測定部の主要部を説明するためのブロック図である。なお、本実施の形態における血糖計の血糖測定部以外の構成要素については、従来の血糖計と同様であるので、血糖測定部以外の構成要素の説明は省略する。
【００５１】
図４に示すとおり、血糖測定部４００ｂは、システムＬＳＩ１００と、外部センサとしての光センサ２００ｂと、外部回路としてのローパスフィルタ（ＬＰＦ）３００ｂとを有する。
【００５２】
システムＬＳＩ１００は、第１増幅部（ＰＧＡ）１１０と、第２増幅部（ＡＭＰ）１２０と、マルチプレクサ（ＭＵＸ）１３０と、信号処理部１４０と、定電流源１５０と、を有し、図３に示すシステムＬＳＩ１００と同一である。一方、入力端子部と出力端子部との間の外部接続状況を変更して、第１入力端子部１０１は、ローパスフィルタ３００ｂの出力端子部に外部配線で接続され、第１入力端子部１０１’は、ローパスフィルタ３００ｂの入力端子部に外部配線で接続されている。また、第２入力端子部１０３は、光センサ２００ｂの出力端子部に外部配線で接続されており、第２出力端子部１０４は、ローパスフィルタ３００ｂの入力端子部に外部配線で接続されている。
【００５３】
第１増幅部１１０は、ローパスフィルタ３００ｂからの信号を差動増幅する処理回路である。より具体的には、第１増幅部１１０は、第１入力端子部１０１に入力されたローパスフィルタ３００ｂからの信号と、第１入力端子部１０１’に入力された第２増幅部１２０からの信号とを差動増幅して第１出力端子部１０２とマルチプレクサ１３０とに出力する。第１増幅部１１０は、例えば、２入力のＰＧＡを有し、差動利得を適宜調整することができる。
【００５４】
第２増幅部１２０は、光センサ２００ｂからの信号を初めに受信する初段の処理回路である。より具体的には、第２増幅部１２０は、第２入力端子部１０３に入力された光センサ２００ｂからの信号を増幅して第２出力端子部１０４とマルチプレクサ１３０とに出力する。第２増幅部１２０は、固定の増幅利得を備える増幅器を有する。
【００５５】
また、第１および第２増幅部１１０，１２０は、光センサ２００ｂからの信号の周波数帯域において必要な利得を得られる回路構成であればよく、例えば、演算増幅器を用いて構成されうる。
【００５６】
マルチプレクサ１３０は、第１および第２増幅部１１０，１２０の出力信号のうちのいずれか一方の信号を選択するものである。本実施の形態では、システムＬＳＩ１００は、第１および第２増幅部１１０，１２０の２つの処理回路を有するので、マルチプレクサ１３０は、２つの入力と１つの出力とを有する。
【００５７】
信号処理部１４０は、マルチプレクサ１３０の出力信号を信号処理するものである。より具体的には、信号処理部１４０は、例えば、Ａ／Ｄコンバータ、演算処理部、および記憶部を有しており、入力されたマルチプレクサ１３０の出力信号をＡ／Ｄコンバータでアナログ信号からディジタル信号に変換したのち、変換されたディジタル信号に基づいて演算処理部で血糖値を算出して記憶部に格納する。
【００５８】
定電流源１５０は、光センサ２００ｂに定電流を供給する電流源である。より具体的には、定電流源１５０は、外部配線を介して接続された光センサ２００ｂに定電流を供給する。
【００５９】
光センサ２００ｂは、血液中のブドウ糖量に応じて呈色する試験紙に光照射し反射光量を電気信号に変換するものであり、発光素子および受光素子を有する。発光素子は、例えば、発光ダイオードであり、受光素子は、例えば、フォトダイオードである。
【００６０】
ローパスフィルタ３００ｂは、光センサ２００ｂの出力信号の周波数帯域のうち、例えばノイズなどの信号の高域成分を減衰させて除去するものである。ローパスフィルタ３００ｂは、例えばプリント基板上に形成されており、外部配線でシステムＬＳＩ１００に接続される。
【００６１】
以下、図４を参照して本実施の形態における血糖計の血糖測定部の回路動作を説明する。
【００６２】
図４に示すとおり、血液中のブドウ糖量に対応する反射光量は、光センサ２００ｂにより電気信号に変換され、システムＬＳＩ１００に入力される。入力された光センサ２００ｂからの信号は、第２増幅部１２０で増幅されたのち、ローパスフィルタ３００ｂにより高域成分が除去された信号と、ローパスフィルタ３００ｂに入力される前の元の信号とが第１増幅部１１０で差動増幅される。したがって、第１および第２増幅部１１０，１２０の利得と、ローパスフィルタ３００ｂの回路定数とを適宜調整することにより、第２増幅部１２０からは、光センサ２００ｂからの信号の直流（ＤＣ）成分に相当する信号が得られ、また、第１増幅部１１０からは、光センサ２００ｂからの信号の交流（ＡＣ）成分に相当する信号が得られる。
【００６３】
マルチプレクサ１３０は、第１および第２増幅部１１０，１２０の出力信号のいずれか一方を選択し、信号処理部１４０に伝達する。したがって、光センサ２００ｂからの信号の交流成分および直流成分のうちのどちらか一方が選択されて信号処理部１４０に伝達される。
【００６４】
信号処理部１４０は、抽出された交流成分および直流成分に基づいて血糖値を算出して記憶部に格納する。
【００６５】
以上のとおり、本実施の形態のシステムＬＳＩ１００を搭載した血糖計によれば、光センサ２００ｂからの信号が第２増幅部１２０で増幅されたのち、ローパスフィルタ３００ｂを介して第１増幅部１１０でさらに差動増幅されるので、光センサ２００ｂからの信号の交流成分および直流成分を分離して信号処理部１４０に伝達することができる。
【００６６】
以上のとおり、説明した本実施の形態は以下の効果を奏する。
【００６７】
（ａ）本実施の形態のシステムＬＳＩによれば、システムＬＳＩに選択的に接続される外部センサの種類に応じて入力端子部と出力端子部との間の外部接続状況を変更することによって、複数の処理回路のうちで、外部センサからの信号を初めに受信する初段の処理回路と次段以降の処理回路との順番を切り替えることができる。したがって、システムＬＳＩ自体の構成を変更することなく、回路動作を容易に変更することができる。その結果、外部センサの種類に関わらず同一のシステムＬＳＩを適用することができるので、集積回路の開発期間および開発費用を大幅に削減することができる。
【００６８】
（ｂ）本実施の形態のシステムＬＳＩは、定電流源を有し、当該定電流源が外部センサに定電流を供給する。したがって、システムＬＳＩの外部における外部センサ用の定電流源の設置を省くことができる。
【００６９】
（ｃ）本実施の形態の電子血圧計および血糖計は、上記システムＬＳＩ搭載しているので、外部センサからの信号の直流成分および交流成分を分離して信号処理部に伝達することができる。
【００７０】
以上のとおり、実施の形態において、本発明の集積回路および当該集積回路を搭載した測定装置を説明した。しかしながら、本発明は、その技術思想の範囲内において当業者が適宜に追加、変形、および省略することができることはいうまでもない。
【００７１】
例えば、上述した実施の形態では、本発明の集積回路を搭載した測定装置の実施例として電子血圧計および血糖計について説明した。しかしながら、本発明の集積回路は上述したものに限定されず、シリンジポンプ、輸液ポンプなどの治療用の医療機器にも搭載されうる。
【００７２】
また、上述した実施の形態では、外部センサとして圧力センサおよび光センサを用いる場合について説明した。しかしながら、外部センサは、上述したものに限定されない。
【００７３】
また、上述した実施の形態では、第１および第２増幅部を有する場合について説明した。しかしながら、増幅部の数は２つの場合に限定されない。
【符号の説明】
【００７４】
１００  システムＬＳＩ、
１０１，１０１’  第１入力端子部、
１０２  第１出力端子部、
１０３  第２入力端子部、
１０４  第２出力端子部、
１１０  第１増幅部（第１処理回路）、
１２０  第２増幅部（第２処理回路）、
１３０  マルチプレクサ、
１４０  信号処理部、
１５０  定電流源、
２００  第１または第２外部センサ、
２００ａ  圧力センサ、
２００ｂ  光センサ、
３００ａ  バンドパスフィルタ、
３００ｂ  ローパスフィルタ、
４００ａ  血圧測定部、
４００ｂ  血糖測定部。
【図１】
2011216511.tif 000003
【図２】
2011216511.tif 000004
【図３】
2011216511.tif 000005
【図４】
2011216511.tif 000006